(57)【要約】【課題】盗電を高い確率で防止することができる電力量計を提供する。【解決手段】端子ブロック２と、端子ブロックの上部に位置する表示部品１３，１４及び計測部品を覆うカバー１と、端子ブロックの露出面を覆う端子カバーとを備えた電力量計において、端子ブロックの正面に対して水平となる位置に嵌合部８が形成されると共に、カバーの下縁に嵌合部１５が形成され、端子ブロックの嵌合部にカバーの嵌合部が上方外側から嵌合し、両嵌合部が端子ブロックの嵌合部の下側から固定部材２０，１８により固定され、両嵌合部による嵌合位置及び固定部材による固定位置が端子カバーにより覆い隠されるようにしている。【選択図】図２
2008157659.tif 000002
【特許請求の範囲】
【請求項１】
端子ブロックと、該端子ブロックの上部に位置する表示部品及び計測部品を覆うカバーと、前記端子ブロックの露出面を覆う端子カバーとを備えた電力量計において、
前記端子ブロックの正面に対して水平となる位置に嵌合部が形成されると共に、前記カバーの下縁に嵌合部が形成され、前記端子ブロックの嵌合部に前記カバーの嵌合部が上方外側から嵌合し、
前記両嵌合部が前記端子ブロックの嵌合部の下側から固定部材により固定され、
前記両嵌合部による嵌合位置及び前記固定部材による固定位置が前記端子カバーにより覆い隠されるようにしたことを特徴とする電力量計。
【請求項２】
前記固定部材の一部は溶融ピンであり、該溶融ピンを熱溶着することによって前記両嵌合部が固定されることを特徴とする請求項１に記載の電力量計。
【請求項３】
前記表示部品及び計測部品が取り付けられる基板が、前記端子ブロックにより正面に対して水平になるように支持されることを特徴とする請求項１又は２に記載の電力量計。
【請求項４】
前記端子ブロックの嵌合部は、前記表示部品及び計測部品より下方に位置することを特徴とする請求項１乃至３のいずれかに記載の電力量計。
【発明の詳細な説明】
【技術分野】
【０００１】
本発明は、盗電防止構造を有する電力量計に関するものである。
【背景技術】
【０００２】
図１２乃至図１５に、従来の電子式電力量計を示す。電子式電力量計１０１は、図１５に示されるようにベース１０２（下ケース）とカバー１０３（上ケース）と端子カバー１０４とを有する。ベース１０２を覆うようにカバー１０３が取り付けられて、図１３に示される状態となり、さらに端子カバー１０４が図１４に示されるように取り付けられて、図１５に示される状態となる。
【０００３】
ベース１０２は、図１２に示されるように、端子部ベース１０２ａを含む。ベース１０２には基板１０５に取り付けられた液晶表示板１０６やその他の部品が収められる。端子部ベース１０２ａには端子金具を含む端子ブロックとインナーカバー１０７が収められる。
【０００４】
カバー１０３には端子ブロックカバー１０８が一体に形成されている。カバー１０３はベース１０２にゴムパッキング１０９を介して嵌合され、封印ねじ１１０により固定される。封印ねじ１１０はメーカにより封印される。その際、同時にインナーカバー１０７や端子ブロックは端子ブロックカバー１０８により覆われる。この状態が図１３に示されている。１１１は電源側電線挿入穴、１１２は負荷側電線挿入穴、１１３は計器取付面に電子式電力量計１０１を固定するためのねじを通すねじ通通穴である。
【０００５】
通常、大地に対して垂直な計器取付面にベース１０２及びカバー１０３が取り付けられた状態で、図１４に示されるように端子カバー１０４が端子部ベース１０２ａを覆うように取り付けられ、封印ねじ１１４により固定される。この状態が図１５に示される状態である。封印ねじ１１４は電力会社により封印される。
【０００６】
ベース１０２とカバー１０３の嵌合部１１５は外部に露出しているので、盗電（タンパリング）を容易にされやすくなる。また、嵌合部１１５及び封印ねじ１１０が外部から見えたり、触れることができる位置にあったりするので、盗電したい衝動を誘発しやすい。
【０００７】
盗電を防止するために、ベースとカバーの間を封印する封印ねじの頭部をカバーの裏面側に向けて計器取付面への取付状態では封印ねじを緩めることが極めて困難となるようにした電力量計のケースが特開昭６２−５９８６８号公報（特許文献１）に記載されている。
【０００８】
また、電力量計に近接して盗電防止構造の給電開閉装置を設置することが特開２００４−１５２６５０号公報（特許文献２）に記載されている。
【特許文献１】特開昭６２−５９８６８号公報
【特許文献２】特開２００４−１５２６５０号公報
【発明の開示】
【発明が解決しようとする課題】
【０００９】
引用文献１においては、封印ねじが見えるので、やはり盗電したい衝動を誘発するおそれがある。
【００１０】
引用文献２においては、盗電防止のために別装置を使用するので、コスト面で不利である。
【００１１】
（本発明の目的）
本発明の目的は、盗電を高い確率で防止することができる電力量計を提供することである。
【課題を解決するための手段】
【００１２】
上記目的を達成するために、本発明は、端子ブロックと、該端子ブロックの上部に位置する表示部品及び計測部品を覆うカバーと、前記端子ブロックの露出面を覆う端子カバーとを備えた電力量計において、前記端子ブロックの正面に対して水平となる位置に嵌合部が形成されると共に、前記カバーの下縁に嵌合部が形成され、前記端子ブロックの嵌合部に前記カバーの嵌合部が上方外側から嵌合し、前記両嵌合部が前記端子ブロックの嵌合部の下側から固定部材により固定され、前記両嵌合部による嵌合位置及び前記固定部材による固定位置が前記端子カバーにより覆い隠されるようにしたことを特徴とするものである。
【発明の効果】
【００１３】
本発明によれば、盗電を高い確率で防止することができる。
【発明を実施するための最良の形態】
【００１４】
本発明を実施するための最良の形態は後述する実施例１および２に記載の通りである。
【実施例１】
【００１５】
図１乃至図８は、本発明の実施例１である電子式電力量計を示す図である。
【００１６】
実施例１では図１、図２及び図７に示されるようにカバー１と端子ブロック２と端子カバー３（図７）から主要部品が構成されている。
【００１７】
合成樹脂製のカバー１の正面側には透明な窓部４が設けられる。端子ブロック２は絶縁性の合成樹脂により成形され、端子金具（不図示）及び端子ねじ５を具備する。端子金具には電源側電線挿入穴６及び負荷側電線挿入穴７から電源側電線及び負荷側電線が挿入され、端子ねじ５を締め付けることにより電気的に接続される。
【００１８】
端子ブロック２には、カバー１と嵌合する部分であって、正面（図１に示される面）に対して水平となる位置に形成された嵌合部８、端子カバー３が端子ブロック２の露出面を覆う際に端子カバー３の内壁面に当接する端子カバー受部９、基板１０を支持する基板支持部１１、計器取付面に電子式電力量計を固定するためのねじ（不図示）が通るねじ挿通穴１２等が一体に形成される。基板１０は正面に対して水平になるように端子ブロック２の基板支持部１１に直接支持される。
【００１９】
基板１０には、表示部品であって電力量等を表示する液晶表示板１３、動作表示を行う発光ダイオード１４、電力量を演算して記憶する電子計測部品等が取り付けられる。カバー１は図１に示されるように端子ブロック２の上方から被さるように嵌合し、嵌合部８の下側から固定部材により固定される。この固定方法については後述する。固定後の状態は図３に示される通りであり、そのＡ−Ａ断面は図４に示される通りである。図４に示されるように、カバー１の下縁に形成された嵌合部１５は、端子ブロック２の嵌合部８に上方外側から嵌合し、端子ブロック２の嵌合部８以上の部分及び基板１０を覆い隠す。すなわち、嵌合部８，１５による嵌合は、基板１０や基板１０上の電子計測部品より下方にて行われることになる。
【００２０】
次に、カバー１と端子ブロック２の固定方法を図５及び図６により説明する。図５（ａ）及び図６（ａ）の底面図におけるＢ−Ｂ断面を図５（ｂ）及び図６（ｂ）に示す。図５は熱溶着前の状態、図６は熱溶着後の状態をそれぞれ示す。
【００２１】
端子ブロック２の嵌合部８の四隅のうちの対角線上２個所には、穴１６とこの穴１６に連通する凹部１７が設けられる。四隅のうちの他の２箇所にはタッピングねじ１８が挿通されるねじ挿通穴１９が設けられる。これに対して、穴１６に対応するカバー１の位置には溶融ピン２０が設けられ、ねじ挿通穴１９に対応するカバー１の位置にはタッピングねじ１８が螺入されるねじ穴２１が設けられる。タッピングねじ１８及び溶融ピン２０が固定部材を構成する。
【００２２】
端子ブロック２にカバー１を固定する際には、まずカバー１を端子ブロック２に嵌合部８，１５により嵌合させ、そのとき溶融ピン２０を穴１６に通すようにする。その状態でタッピングねじ１８をねじ穴２１にねじ込んで、仮止めする。次に溶融ピン２０に超音波等により熱を加え、凹部１７内で溶融させて、図６（ｂ）に示されるように両嵌合部８，１５を熱溶着する。固定後は、タッピングねじ１８の頭や溶融ピン２０の溶融部分は、嵌合部８に隠されて、水平方向からは見えない。
【００２３】
熱溶着後は、基板１０上の電子計測部品には触れることができないので、電子計測部品を細工することによる盗電を防ぐことができる。また、計器取付面への取付状態では端子カバー３を取り外したとしても溶融ピン２０やタッピングねじ１８は下方から覗かないと見えないので、盗電したい衝動を誘発するおそれはない。
【００２４】
溶融ピン２０を熱溶着した後に、図７に示されるように（図７では溶融ピン２０はまだ熱溶着されていない状態が示されている）、不透明な端子カバー３を端子ブロック２の露出面に正面側から被せ、封印ねじ２２を端子ブロック２に設けられたねじ穴２３に締め付けることにより固定する。この状態は図８に示されるようになり、端子ブロック２、嵌合部８，１５による嵌合位置を含む端子ブロック２は端子カバー３によって覆い隠される。また、特に、溶融ピン２０、タッピングねじ１８の位置は、端子カバー３に形成された被覆部２４によって覆い隠される。なお、封印ねじ２２は電力会社により封印される。
【００２５】
実施例１では、嵌合部８，１５による嵌合位置、溶融ピン２０による熱溶着位置（メーカによる封印部となる）及びタッピングねじ１８の位置が端子カバー３により覆い隠されて、外部に一切露出しないので、盗電防止及び盗電抑制を図ることができる。
【００２６】
また、基板１０は端子ブロック２に水平に支持されているので、万一、計器取付状態でケース１が開けられたとしても、基板１０上の電子計測部品の細工がしにくく、盗電防止及び盗電抑制に資することができる。
【００２７】
また、嵌合部８，１５による嵌合位置が、液晶表示板１３、発光ダイオード１４、基板１０、基板１０上の電子計測部品より下方に位置するので、防水・防塵性能を向上させることができる。
【００２８】
さらに、主要部品をケース１、端子ブロック２、端子カバー３の３部品として、最小構成の部品点数に削減し（従来のベースを削減）、高価な難燃材料の使用を端子ブロック２のみに抑えることができるので、低コストを達成することができる。
【００２９】
実施例１では、溶融ピン２０により溶着される構造であるが、溶融ピン２の代わりに固定部材としての封印ねじ（メーカによる封印部）により固定される構造であっても良い。
【実施例２】
【００３０】
図９乃至図１１は、本発明の実施例２である誘導型電力量計を示す図である。
【００３１】
実施例２ではカバー３１と端子ブロック３２と端子カバー３（図７）から主要部品が構成されている。
【００３２】
カバー３１は透明な合成樹脂製である。端子ブロック３２は絶縁性の合成樹脂製である。端子ブロック３２には、電力量を表示する数字車３３、回転円板３４、その他の誘導型計測部品が取り付けられる。
【００３３】
端子ブロック３２は、実施例１と同様に、端子金具（不図示）及び端子ねじ３５を具備する。端子ブロック３２には、カバー３１の下縁に形成された嵌合部４５と嵌合する嵌合部３８、端子カバー３が取り付けられる際に端子カバー３の内壁面に当接する端子カバー受部３９、計器取付面に電子式電力量計を固定するためのねじ（不図示）が通るねじ挿通穴４２等が一体に形成される。
【００３４】
嵌合部４５は、実施例１の場合と同様に、端子ブロック３２の嵌合部３８に上方外側から嵌合し、端子ブロック３２の嵌合部３８以上の部分を覆い隠す。すなわち、嵌合部３８，４５による嵌合は、誘導型計測部品より下方にて行われることになる。
【００３５】
カバー３１と端子ブロック３２の固定も、実施例１の場合と同様に、タッピングねじ１８及び溶融ピン２０（或いは封印ねじ）により行われる。固定後の状態を図１１に断面にて示す。
【００３６】
固定後は、カバー３１内の誘導型計測部品には触れることができないので、誘導型計測部品を細工することによる盗電を防ぐことができる。また、計器取付面への取付状態では端子カバー３を取り外したとしても溶融ピン２０（或いは封印ねじ）やタッピングねじ１８は下方から覗かないと見えないので、盗電したい衝動を誘発するおそれはない。
【図面の簡単な説明】
【００３７】
【図１】本発明の実施例１である電子式電力量計のカバーと端子ブロックを示す正面図である。
【図２】実施例１のカバーと端子ブロックを示す斜視図である。
【図３】実施例１のカバーと端子ブロックを固定した状態を示す正面図である。
【図４】図３のＡ−Ａ線における断面図である。
【図５】実施例１のカバーと端子ブロックを熱溶着する前の状態を示す底面図及びＢ−Ｂ線における断面図である。
【図６】実施例１のカバーと端子ブロックを熱溶着した後の状態を示す底面図及びＢ−Ｂ線における断面図である。
【図７】実施例１のカバー及び端子ブロックと端子カバーを示す斜視図である。
【図８】実施例１のカバー及び端子ブロックに端子カバーを取り付けた状態を示す斜視図である。
【図９】本発明の実施例２である誘導型電力量計のカバーと端子ブロックを示す正面図である。
【図１０】実施例２のカバーと端子ブロックを固定した状態を示す正面図である。
【図１１】図１０のＣ−Ｃ線における断面図である。
【図１２】従来例である電子式電力量計のベースとカバーを示す斜視図である。
【図１３】従来例のベースとカバーを固定した状態を示す斜視図である。
【図１４】従来例のベース及びカバーと端子カバーを示す斜視図である。
【図１５】従来例のベース及びカバーに端子カバーを取り付けた状態を示す斜視図である。
【符号の説明】
【００３８】
１，３１        カバー
２，３２        端子ブロック
３              端子カバー
４              窓部
５，３５        端子ねじ
８，３８        嵌合部
１０            基板
１３            液晶表示板
１５，４５      嵌合部
１８            タッピングねじ
２０            溶融ピン
２２            封印ねじ
２３            ねじ穴
２４            被覆部
【図１】
2008157659.tif 000003
【図２】
2008157659.tif 000004
【図３】
2008157659.tif 000005
【図４】
2008157659.tif 000006
【図５】
2008157659.tif 000007
【図６】
2008157659.tif 000008
【図７】
2008157659.tif 000009
【図８】
2008157659.tif 000010
【図９】
2008157659.tif 000011
【図１０】
2008157659.tif 000012
【図１１】
2008157659.tif 000013
【図１２】
2008157659.tif 000014
【図１３】
2008157659.tif 000015
【図１４】
2008157659.tif 000016
【図１５】
2008157659.tif 000017